(57)【要約】【課題】冷却効率を損なうことなく、表示装置内部へのゴミの進入が抑制可能となる表示装置付遊技機の提供。【解決手段】ミドルケース１２０の側壁１２１に吸気口１２３を設け、背面１２０Ａに排気口１２６を設け、導電性を有するゴミがミドルケース１２０の内部に進入しないようにする。ここで、放熱板１３１及び冷却ファン１３３の両方をブラケット１３２に近接して固定するとともに、放熱板１３１をＬＳＩ１０１Ａ，１０１Ｂに接触させ、空冷ユニット１３０の伝熱効果及び放熱効果を良好にし、且つ、排気口１２６を背面１２０Ａに設けることにより、吸気口１２３から排気口１２６までの距離を短くし、冷却空気の流通抵抗を低減させ、以上により、良好な冷却効率を確保する。【選択図】    図７
2005342330.tif 000002
【特許請求の範囲】
【請求項１】
遊技を行う遊技者に面した画面に様々な画像の表示が可能となっている表示装置を備えた表示装置付遊技機であって、
動作時に冷却が必要な発熱素子を有するとともに、前記画面に表示させるべき画像の電気的な処理を行う電子回路が形成された画像処理基板と、
前記発熱素子の熱を発散させるための放熱板と、
この放熱板を支持するブラケットと、
前記放熱板を冷却するための冷却空気を送風する冷却ファンと、
前記画像処理基板、前記放熱板、前記ブラケット及び前記冷却ファンを内部に収納するケースとを備え、
前記冷却ファンが前記ブラケットに固定されるとともに、前記放熱板が前記発熱素子に接触した状態で前記ブラケットに固定され、且つ、前記冷却空気を排気するための排気口が前記ケースの背面に設けられていることを特徴とする表示装置付遊技機。
【請求項２】
前記ケースの左右に設けられている側面の少なくとも一方に、前記冷却空気を内部に取り入れるための吸気口が設けられていることを特徴とする請求項１記載の表示装置付遊技機。
【請求項３】
前記冷却ファンは、その吸込口が前記ケースの前記吸気口が設けられた側面に対向するように配置され、前記冷却ファンの吹出口の近傍には、前記ケースの背面に設けられた前記排気口に向かって冷却空気を導く前記導風板が、当該吹出口に対向して設けられていることを特徴とする請求項２記載の表示装置付遊技機。
【請求項４】
前記排気口及び前記吸気口は、遊技球が内部に進入不可能なサイズの孔から形成されていることを特徴とする請求項３記載の表示装置付遊技機。
【請求項５】
前記ブラケットが熱伝導性のある材料から形成されていることを特徴とする請求項１から請求項４までのいずれかに記載の表示装置付遊技機。
【発明の詳細な説明】
【技術分野】
【０００１】
本発明は、様々な画像の表示が可能な表示装置を備えたスロットマシン及びパチンコ機等の表示装置付遊技機に関するものである。
【背景技術】
【０００２】
従来から、スロットマシンやパチンコ遊技機等の遊技機は、人々に娯楽を提供するための手段として利用されている。このような遊技機としては、様々な画像の表示が可能な表示装置を備えたものが知られている。
例えば、パチンコ球を発射することで遊技を実行するパチンコ機は、ゲージ盤の中央に設けられた液晶ディスプレイ装置等の表示装置を備えたものが一般的となっている。このような表示装置を遊技機に設けることにより、遊技の進行状態等を遊技者に視覚的に報知することができる。
【０００３】
遊技機に設けられる表示装置は、一般的に、グラフィック処理等の高速演算を行うＬＳＩ等の電子素子を含んで構成された電子回路と、この電子回路が形成された基板を内部に収納するケースと、作動時に発熱するＬＳＩ等の電子素子を冷却するための冷却装置とを備えたものとなっている。
ここで、前述の冷却装置としては、遊技機の制御装置及び表示装置をまとめて収納するカバー体の上面及び下面の両方に設けられた複数の排気口と、カバー体の背面に設けられるとともに、カバー体の内部に空気を圧送する冷却用の給気ファンとを有するものが知られている（例えば、特許文献１参照。）。
【０００４】
このような冷却装置では、表示装置に向かって送風された冷却空気のうち、一部は、表示装置のケース内部を通ってカバー体の外へ排出されるが、残りは、表示装置のケース外側を通ってカバー体の外へ排出される。このため、冷却効率が良くないので、送風量の多い大型の給機ファンを採用せざるを得ない、という問題がある。
このような問題を解決するために、表示装置のケースの上面及び下面のそれぞれに設けられた排気口及び吸気口と、ケース上面の排気口に嵌め込まれた冷却用の冷却ファンとを備えた冷却装置を採用することが考えられる。このような冷却装置によれば、対流現象により暖められた空気が上昇して、ケース上面の排気口から空気が自然に排気されるので、排気口による排気が促進され、冷却ファンの送風量が増え、冷却効率を向上することができ、冷却ファンの小型化を図ることができる（例えば、特許文献２参照。）。
【特許文献１】特開平１１−４４６号公報（図３）
【特許文献２】特開２００２−４５５３０号公報（図４）
【発明の開示】
【発明が解決しようとする課題】
【０００５】
しかしながら、前述の冷却装置では、表示装置のケースの上面に排気口が設けられているので、ファンが停止すると、導電性を有するゴミ、例えば、パチンコ球の表面から剥がれ落ちたメッキ層が表示装置のケースの内部に進入し、表示装置の電子回路を短絡させ、表示装置を故障させるおそれがある、という問題がある。
このような問題を解決するために、表示装置のケースの左右の側面のそれぞれに設けられた排気口及び吸気口と、一方の側面に設けた排気口に嵌め込まれた冷却用の冷却ファンとを備えた冷却装置を採用することが考えられるが、このような冷却装置では、対流現象が利用できなくなるので、冷却効率を向上することができず、冷却ファンの小型化を図ることができなくなる、という問題が発生する。
【０００６】
そこで、各請求項にそれぞれ記載された各発明は、上記した従来の技術の有する問題点に鑑みてなされたものであり、その目的とするところは、冷却効率を損なうことなく、表示装置内部へのゴミの進入が抑制可能となる表示装置付遊技機を提供することである。
【課題を解決するための手段】
【０００７】
各請求項にそれぞれ記載された各発明は、前述の目的を達成するためになされたものである。以下に、各発明の特徴点を、図面に示した発明の実施の形態を用いて説明する。
なお、符号は、発明の実施の形態において用いた符号を示し、本発明の技術的範囲を限定するものではない。
（請求項１）
（特徴点）
請求項１記載の発明は、次の点を特徴とする。
すなわち、請求項１記載の発明は、遊技を行う遊技者に面した画面(１００)に様々な画像の表示が可能となっている表示装置(２８)を備えた表示装置付遊技機(ＰＭ)であって、動作時に冷却が必要な発熱素子(１０１Ａ，１０１Ｂ)を有するとともに、前記画面(１００)に表示させるべき画像の電気的な処理を行う電子回路が形成された画像処理基板(１０１)と、前記発熱素子(１０１Ａ，１０１Ｂ)の熱を発散させるための放熱板(１３１)と、この放熱板(１３１)を支持するブラケット(１３２)と、前記放熱板(１３１)を冷却するための冷却空気を送風する冷却ファン(１３３)と、前記画像処理基板(１０１)、前記放熱板(１３１)、前記ブラケット(１３２)及び前記冷却ファン(１３３)を内部に収納するケース(１１１，１２０)とを備え、前記冷却ファン(１３３)が前記ブラケット(１３２)に固定されるとともに、前記放熱板(１３１)が前記発熱素子(１０１Ａ，１０１Ｂ)に接触した状態で前記ブラケット(１３２)に固定され、且つ、前記冷却空気を排気するための排気口(１２６)が前記ケース(１１１，１２０)の背面(１２０Ａ)に設けられていることを特徴とするものである。
【０００８】
（請求項２）
（特徴点）
請求項２記載の発明は、前述した請求項１に記載の発明において、次の特徴点を備えているものである。
すなわち、請求項２記載の発明は、前記ケース(１１１，１２０)の左右に設けられている側面の少なくとも一方に、前記冷却空気を内部に取り入れるための吸気口(１１４，１２３)が設けられていることを特徴とするものである。
（請求項３）
（特徴点）
請求項３記載の発明は、前述した請求項２記載の発明において、次の特徴点を備えているものである。
【０００９】
すなわち、請求項３記載の発明は、前記冷却ファン(１３３)の吸込口(１３３Ａ)が前記ケース(１１１，１２０)の前記吸気口(１１４，１２３)が設けられた側面に対向するように配置され、前記冷却ファン(１３３)の吹出口(１３３Ｂ)の近傍には、前記ケース(１１１，１２０)の背面(１２０Ａ)に設けられた前記排気口(１２６)に向かって冷却空気を導く前記導風板(１４１，１４１Ａ，１４１Ｂ)が、当該吹出口(１３３Ｂ)に対向して設けられていることを特徴とする。
（請求項４）
（特徴点）
請求項４記載の発明は、前述した請求項３記載の発明において、次の特徴点を備えているものである。
【００１０】
すなわち、請求項４記載の発明は、前記排気口(１２６)及び前記吸気口(１１４，１２３)が、遊技球が内部に進入不可能なサイズの孔から形成されていることを特徴とするものである。
（請求項５）
（特徴点）
請求項５記載の発明は、前述した請求項１から請求項４までのいずれかに記載の発明において、次の特徴点を備えているものである。
すなわち、請求項５記載の発明は、前記ブラケット(１３２)が熱伝導性のある材料から形成されていることを特徴とするものである。
【発明の効果】
【００１１】
（請求項１の効果）
以上のように構成されている本発明は、以下に記載されるような効果を奏する。
すなわち、請求項１記載の発明によれば、吸気口の位置を適宜設定することにより、例えば、ケースの背面の周囲、又は、側面若しくは底面に吸気口の位置を設定すれば、排気口がケースの背面に設けられているので、導電性を有するゴミが吸気口又は排気口を通って表示装置のケースの内部に進入することがなく、これらのゴミによる電子回路の短絡が防止され、表示装置を故障させるおそれを解消することができる。
また、放熱板と冷却ファンとの両方をブラケットに固定し、これにより、放熱板と冷却ファンとが近接して配置されるようにするとともに、排気口をケースの背面に設け、底面又は側面に設けた吸気口から排気口までの距離が短くなるようにしたので、冷却空気の流通抵抗が低減されるようになるうえ、放熱板を発熱素子に接触させたので、伝熱効果が良好なものとなり、対流現象を利用することができなくとも、良好な冷却効率を確保することができ、また、冷却ファンの小型化を充分図ることができる。
【００１２】
（請求項２の効果）
請求項２記載の発明によれば、上記した請求項１記載の発明の効果に加え、次のような効果を奏する。
すなわち、請求項２記載の発明によれば、吸気口をケースの側面に設けたので、前述したように、吸気口からケース内へのゴミの進入を抑制でき、ゴミによる電子回路の短絡が防止されるようになるうえ、下方で熱せられた空気が上昇してきても、上昇してきた熱気をまともに吸入することがなくなるので、比較的大きな電動機等の動作に伴い熱を発する発熱機器が、その下方に配置されても、当該発熱機器の影響を回避することができる。
【００１３】
（請求項３の効果）
請求項３記載の発明によれば、上記した請求項２記載の発明の効果に加え、次のような効果を奏する。
すなわち、請求項３記載の発明によれば、冷却ファンの吸込口と、ケースの吸気口とを対向させて配置することが可能となり、吸込口と吸気口とを対向配置することにより、ケースの内部において冷却空気が直線状に流れるようにすることができ、この点からも、冷却空気の流通抵抗が低減され、良好な冷却効率を確保することができる。
また、冷却ファンの吹出口から吹き出される冷却空気の吹出方向が排気口による排気の排出方向と交差していても、冷却ファンの吹出口の近傍に、ケース背面の排気口に向かって冷却空気を導く導風板を、当該吹出口に対向して設けたので、排気口からの排気効率が損なわれることがなく、この点からも、充分な冷却空気の風量が確保され、良好な冷却効率を確保することができる。
【００１４】
（請求項４の効果）
請求項４記載の発明によれば、上記した請求項３記載の発明の効果に加え、次のような効果を奏する。
すなわち、請求項４記載の発明によれば、導電性を有する遊技球が排気口又は吸気口を通って表示装置のケースの内部に進入することがなく、遊技球による電子回路の破損や短絡が防止され、表示装置を故障させるおそれを解消することができる。
また、個々の孔が小さくとも、その数量を充分多く設定すれば、冷却空気の風量を充分確保することができるので、排気口及び吸気口の各孔のサイズを遊技球が通過できない程小さくしても、良好な冷却効率を確保することができる。
【００１５】
（請求項５の効果）
請求項５記載の発明によれば、上記した請求項１から請求項４までのいずれかに記載の発明の効果に加え、次のような効果を奏する。
すなわち、請求項５記載の発明によれば、ブラケットが熱伝導性の良好なものとなるので、発熱素子で発生した熱は、ブラケットを通じても発散されるようになり、冷却ファンの冷却効率が向上するのと相俟って、発熱素子の冷却能力を向上することができる。
【発明を実施するための最良の形態】
【００１６】
以下に、本発明を実施するための最良の形態である一実施形態について、図面に基づいて説明する。
図１〜図１２は、本実施形態を示すものである。図１は、本実施形態に係る遊技機を示す正面図、図２は、本実施形態に係る遊技機を示す背面図、図３は、本実施形態に係る表示装置を正面側から示す斜視図、図４は、本実施形態に係る表示装置を背面側から示す斜視図、図５は、本実施形態に係る表示装置を背面側から示す分解斜視図、図６は、本実施形態に係る表示装置を示す背面図、図７は、図６のＡ−Ａ線における断面図、図８は、本実施形態に係る液晶ユニットを背面側から示す分解斜視図、図９は、本実施形態に係る液晶ユニットを示す一部分解状態の背面図、図１０は、本実施形態に係る液晶ユニットの要部を背面側から示す斜視図、図１１は、図６のＪ−Ｊ線における断面図、図１２は、図６のＭ−Ｍ線における断面図である。
【００１７】
（パチンコ機ＰＭの概略構成）
本実施形態に係る遊技機としてのパチンコ機ＰＭは、図１の如く、外郭方形枠サイズに構成されて縦向きの固定保持枠を成す外枠１と、この外枠１の開口前面に、これに合わせた方形枠サイズに構成されるとともに、外枠１に開閉可能に搭載される前枠２とを備えている。このうち、前枠２は、外枠１の正面左側上下に配設されたヒンジ部材３ａ，３ｂを介して外枠１に横開き開閉および着脱可能に取り付けられている。そして、正面右側に設けられた施錠金具４により、前枠２が外枠１の開口を閉鎖した状態が維持され、この状態で遊技に供される。
【００１８】
前枠２の正面側には、当該前枠２の正面形状に応じて形成された方形状のガラス扉５および球皿６がともに横開き開閉及び着脱が可能に組付けられている。
これらのガラス扉５および球皿６は、施錠金具４および図示しないロック機構を利用して前枠２の前面を覆う閉鎖状態で保持されるようになっている。
このうち、球皿６には、払い出された遊技球を貯留して整列させる球皿部６ａと、球皿部６ａに貯留する遊技球を下方に排出させる球抜きボタン６ｂと、遊技球の発射操作を行う操作ハンドル８とが設けられている。
また、図１において、ガラス扉５の背後に位置する前枠２の上部には、所定のゲージ設定で構成された遊技盤２０を収納する図示しない収容枠が形成されている。収容枠に嵌め込まれた遊技盤２０は、図示しない複数の係合レバーにより着脱交換可能にセット保持されている。
【００１９】
このように遊技盤２０がセット保持された状態においては、遊技盤２０の前面と、閉鎖状態にあるガラス扉５のガラス板とが所定間隔をおいて対向するように構成されており、これにより、遊技盤２０の前面と、ガラス扉５のガラス板内面との間に、遊技球が落下移動する遊技領域空間が形成されるようになっている。
収容枠２ａの裏側には、図２の如く、球貯留供給機構４０や球払出機構５０等を有する裏セット盤ＢＳＰが複数の係合レバー１８により着脱可能に装備され、常には、遊技盤２０の裏面を覆うように閉鎖保持されるようになっている。
裏セット盤ＢＳＰは、遊技盤２０の背後に位置し、全体として収容枠２ａの背面外郭サイズよりも幾分大きめの縦長方形形状を成したものとなっている。
【００２０】
裏セット盤ＢＳＰの各部には、当該パチンコ機ＰＭの作動を統括的に制御する主制御装置９１と、遊技者への遊技球の払出を制御する球払出制御装置９２と、効果照明装置及び効果音響装置の作動制御を行うサブ制御基板９３と、各装置、基板及び電子部品に所定の電力を供給する電源装置９４と、遊技機の作動状態を遊技施設側に出力するための外部端子板９６と、後述する特別図柄表示装置２８の作動制御を行う画像処理基板１０１と、遊技者に遊技球の払い出しを行う球払出装置５３とが図２に示すように配置されている。
このようなパチンコ機ＰＭは、全体が所要の後傾角度（例えば、１度以内の後傾角）で遊技施設の遊技島に縦向きに保持される。
【００２１】
図１に戻って、パチンコ機ＰＭは、球皿６およびガラス扉５が閉鎖施錠された状態で遊技に供され、球皿部６ａに遊技球を貯留させてから、操作ハンドル８を回動操作すると、遊技が開始されるようになっている。
すなわち、球皿部６ａに貯留する遊技球が図示省略する球送り装置によって１球ずつ発射レール上の発射位置まで送り出され、遊技球が発射位置についた状態で、操作ハンドル８の操作レバーが回動操作されると、遊技球は、図示しない打球発射装置のハンマーに打ち出されて遊技盤２０の外レール２２ａに案内されて、遊技領域ＰＡに導かれ、これにより、パチンコゲームが展開されるようになっている。
【００２２】
このような概要構成を備えたパチンコ機ＰＭについて、以降では各部の構成をもう少し詳しく説明する。
遊技盤２０は、所定板厚の積層合板の表面にセルが貼り付けられた化粧板２１の前面に、ステンレス鋼板等を利用した帯状の外レール２２ａおよび内レール２２ｂ（これらを合わせて案内レール２２と称する）が設けられたものである。遊技盤２０の案内レール２２に囲まれた内側の領域が遊技領域ＰＡとなっている。この遊技領域ＰＡには、多数本の遊技釘（図示略）、複数の風車２３、一般入賞口２４、始動入賞口２５、大入賞口２６、及び、周囲に飾り部を有した特別図柄表示装置２８が設けられている。
【００２３】
一般入賞口２４は、ここに遊技球が入ると、当該遊技球をセーフ球とする処理のみが実行される、換言すると、所定数の遊技球の払い出しのみが実行されるように設定されている入賞口である。一般入賞口２４の奥には、ここに入った遊技球を検出する図示しない入賞球検出センサ（具体的には、遊技球の通過を磁気的、光学的または電気的手段等により検出するセンサ）が取り付けられている。この一般入賞口２４には、化粧板２１を貫通する図示しないセーフ球通路孔が接続されており、一般入賞口２４に入った遊技球は、セーフ球通路孔を通って遊技盤２０の裏面側に排出されるようになっている。
始動入賞口２５は、ここに遊技球が入ることにより、当該遊技球をセーフ球とする処理が実行されるだけでなく、図柄変動の契機となるように設定されている入賞口である。この始動入賞口２５には、普通電動役物として、左右のチューリップ羽根を開閉させることができる、いわゆる電動チューリップが設けられている。
【００２４】
始動入賞口２５の奥には、一般入賞口２４と同様に、入賞した遊技球を検出する図示しない入賞球検出センサが取り付けられている。また、始動入賞口２５には、一般入賞口２４と同様に、化粧板２１を貫通するセーフ球通路孔（図示略）が接続されており、始動入賞口２５に入賞した遊技球は、セーフ球通路孔を通って遊技盤２０の裏面側に排出されるようになっている。
大入賞口２６は、左右に長い方形状の開口であり、当該大入賞口２６を開閉するための扉としての球受け部材を備えている。大入賞口２６の球受け部材は、通常、閉鎖されており、遊技中において、所定の遊技条件の下で特別遊技状態が成立した、すなわち、特別図柄表示装置２８に特定態様の図柄が表示されたときに、前方にほぼ９０度倒されて大入賞口が開放されるように設定されている。これにより、大入賞口２６は、前方を通過する遊技球をすべて、その内部に取り込むようになっている。
【００２５】
大入賞口２６の奥には、特定領域及び一般領域の二つの領域が左右に設けられている。特定領域及び一般領域の各々には、入賞球検出センサが取り付けられているとともに、一般入賞口２４等と同様に、化粧板２１を貫通する図示しないセーフ球通路孔が接続されている。大入賞口２６から入ったセーフ球は、特定領域及び一般領域のいずれか一方を通って遊技盤２０の裏面側に排出されるようになっている。
各入賞口２４，２５，２６に遊技球が入ると、各入賞口に取り付けられた入賞球検出センサによって入賞したことが検出されるようになっている。そして、各入賞口に入った一つ一つの遊技球毎に、その入賞口の種類や遊技状況に応じた所定数の賞球が後述する球払出機構５０から球皿６に払い出されるようになっている。
【００２６】
また、特別図柄表示装置２８は、具体的には、液晶パネル１０を有する液晶表示装置であり、図１及び図２に示すように、遊技を行う遊技者に面して設けられた液晶パネル１０の画面１００に様々な画像の表示が可能となっている。特別図柄表示装置２８の液晶パネル１０は、遊技盤２０の裏面側に取り付けられた画像処理基板１０１により制御され、その画面１００には、遊技状況に応じて種々の情報が表示されるようになっている。
遊技領域ＰＡの最下部には、入賞口２４，２５，２６に入賞せずに落下した遊技球を集めて排出させるアウト口２７が設けられている。アウト口２７には、化粧板２１を貫通する図示しないアウト球通路孔が接続されている。
【００２７】
このアウト口２７に集められた遊技球は、アウト球としてアウト球通路孔を通って遊技盤２０の裏面に排出されるようになっている。
また、化粧板２１の裏側には、前述のセーフ球通路孔およびアウト球通路孔の裏側を覆う図示しない不正防止用の裏カバーが取り付けられている。この裏カバーと、化粧板２１の裏面との間には、化粧板２１の裏面に沿って下方へ延びる所定の隙間が設けられ、この隙間により、遊技球を排出するための排出空間が形成されている。
裏カバーの下端は、開放されており、セーフ球通路孔およびアウト球通路孔を通って遊技盤２０の裏面に排出された遊技済みの遊技球は、前述の排出空間を通って下方に落下するようになっている。
【００２８】
（特別図柄表示装置２８）
次に、特別図柄表示装置２８について、さらに詳しく説明する。
特別図柄表示装置２８は、図３〜図７に示すように、略直方体状の外観を有する装置となっており、画像処理基板１０１で生成した画像データに基づいて液晶パネル１０を駆動し、その正面に配置された液晶パネル１０の画面１００で、画像データに基づいて生成した画像を表示する画像表示用のデバイスである。
ここで、特別図柄表示装置２８は、液晶パネル１０や画像処理基板１０１等の画像表示用のデバイスだけでなく、前述した効果照明装置及び効果音響装置の作動制御を行うサブ制御基板９３をも備え、画面１００に表示される画像に対応した照明の演出及び音声の生成も行えるようになっている。
【００２９】
そして、特別図柄表示装置２８には、前述した液晶パネル１０及び画像処理基板１０１を含んで構成された液晶ユニット１１０と、この液晶ユニット１１０の背面を覆うミドルケース１２０とが備えられている。
このうち、ミドルケース１２０には、図５及び図７に示すように、図５中左側、図７中右側に配置された空間を前後に仕切る底面１１Ａが形成され、この底面１１Ａの背面側の空間が、前述したサブ制御基板９３を装着するための装着スペース１１となっている。
サブ制御基板９３は、装着スペース１１の内部に収納され、この状態で底面１１Ａにビス止めされている。そして、装着スペース１１は、サブ制御基板９３の背面側を覆おうように配置されるとともに、ミドルケース１２０にビス止めされているリアケース１２で蓋がされるようになっている。なお、リアケース１２には、サブ制御基板９３への電気的接続を行うためのサブ中継端子板１３が取り付けられている。
【００３０】
（液晶ユニット１１０）
液晶ユニット１１０は、図５及び図８に示すように、背面側に配置された液晶リアケース１１１Ａと、正面側に配置された液晶フロントケース１１１Ｂとに分割された液晶ユニットケース１１１の内部に、液晶パネル１０及び画像処理基板１０１等の構成部品を収納したものである。
液晶ユニットケース１１１は、その背面の図７中左側の部分が図７中上方へ膨出している。この液晶ユニットケース１１１の膨出している部分の内部は、図７の如く、画像処理基板１０１を収納する収納スペース１４となっている。これにより、画像処理基板１０１を収納する収納スペース１４と、サブ制御基板９３を装着するための装着スペース１１とが左右に並設されるようになっている。なお、ミドルケース１２０は、液晶ユニットケース１１１に形成された収納スペース１４に対応して、その背面が膨出しており、ミドルケース１２０の内部に液晶リアケース１１１Ａがピッタリと収納可能となっている。
【００３１】
液晶ユニット１１０には、前述した液晶パネル１０及び画像処理基板１０１の他に、図８の如く、液晶パネル１０との接続を行う図示しないハーネスが接続される液晶ハーネス中継端子板１０２と、液晶パネル１０のバックライト用の電源装置であるインバータ基板１０３と、画像処理基板１０１を冷却するための空冷ユニット１３０と、これらの部品を所定位置に固定するための基板である液晶ベース１１２とが設けられている。これらの部品は、液晶ユニット１１０を構成するものであり、液晶ユニットケース１１１の内部にすべて収納されている。
液晶ベース１１２は、液晶パネル１０の正面形状に応じたサイズの略平板状の部材となっている。この液晶ベース１１２の収納スペース１４に対応する部分には、図７及び図９の如く、画像処理基板１０１、液晶ハーネス中継端子板１０２及び空冷ユニット１３０が固定されている。
【００３２】
また、液晶ベース１１２の装着スペース１１に対応する部分、換言すると、図９において、液晶ベース１１２における画像処理基板１０１の左側の部分には、インバータ基板１０３が固定されている。
画像処理基板１０１は、図７及び図９に示すように、略正方形状の略平板に形成された二つのＬＳＩ１０１Ａ，１０１Ｂと、これらのＬＳＩ１０１Ａ，１０１Ｂを含んで形成された電子回路とを備え、この電子回路で、画面１００に表示させるべき画像の電気的な処理を行うものとなっている。ＬＳＩ１０１Ａ，１０１Ｂは、動作時に冷却が必要な発熱素子である。
【００３３】
空冷ユニット１３０は、図７及び図９の如く、ＬＳＩ１０１Ａ，１０１Ｂの熱を発散させるための放熱板１３１と、この放熱板１３１を支持するブラケット１３２と、放熱板１３１を冷却するための冷却空気を送風する冷却ファン１３３とを備えたものである。
このうち、放熱板１３１は、図１０及び図１１に示すように、長方形状の略平板に形成された平板部１３１Ａの一面から突出する多数の冷却フィン１３１Ｂを、当該平板部１３１Ａに一体成形したアルミニウム製のものである。多数の冷却フィン１３１Ｂは、平板部１３１Ａの長手方向に配列されるとともに、各々が平板部１３１Ａの長手方向と直角に交差する方向に延びるものとなっている。
【００３４】
放熱板１３１は、図１１の如く、多数の冷却フィン１３１Ｂが形成する列の両端近傍部分、及び、当該列の中間部分縁部分が平面とされ、この平面となった部分がブラケット１３２と面接触する面接触部１３１Ｃとなっている。
ブラケット１３２は、図７及び図１０の如く、熱伝導性に優れた材料であるアルミニウム板を折り曲げることにより、断面形状が全体的に溝型に成形された部材である。
溝型に成形されたブラケット１３２の両側に配置されている側壁１３２Ａの各々には、図７、図１０及び図１１に示すように、冷却空気を通すための通風孔１３２Ｂが開けられている。また、側壁１３２Ａの先端部分は、それぞれ外側に折り曲げられ、これにより、液晶ベース１１２に取り付けるための取付部１３２Ｃが形成されている。
【００３５】
そして、二つの側壁１３２Ａのうち、冷却ファン１３３側に配置されている取付部１３２Ｃの先端部分は、側壁１３２Ａと対向するように折り曲げられ、これにより、冷却ファン１３３が固定されるファン固定部１３２Ｄが形成されている。冷却ファン１３３は、その吸込口１３３Ａが側壁１３２Ａに向けられた状態で、ファン固定部１３２Ｄに固定されている。なお、ファン固定部１３２Ｄには、冷却ファン１３３の吸込口１３３Ａに対応して切り欠かれた切欠部１３２Ｅが設けられている。
溝型に成形されたブラケット１３２の底部１３２Ｆには、放熱板１３１の冷却フィン１３１Ｂを溝型の内部に挿通させるための挿通孔１３２Ｇが設けられている。
【００３６】
放熱板１３１は、ブラケット１３２の底部１３２Ｆの外側の面から挿通孔１３２Ｇに冷却フィン１３１Ｂが挿通されるとともに、ブラケット１３２の底部１３２Ｆの外側面に面接触部１３１Ｃが接触し、この状態で、ブラケット１３２に固定されている。
また、放熱板１３１は、図７及び図１１の如く、シリコンゴムやシリコングリス等の熱伝導性及び密着性に優れた熱伝導体１０１Ｃを介して、画像処理基板１０１のＬＳＩ１０１Ａ，１０１Ｂに接触した状態でブラケット１３２により固定されている。
この際、ブラケット１３２の対向配置された一対の側壁１３２Ａに開けられた通風孔１３２Ｂの間に冷却フィン１３１Ｂを配置するとともに、側壁１３２Ａの長手方向と冷却フィン１３１Ｂの長手方向とを直交させることにより、一対の側壁１３２Ａに開けられた通風孔１３２Ｂが相互に連通されるようにし、かつ、一方の側壁１３２Ａに対して冷却ファン１３３を近接配置するとともに、この冷却ファン１３３の吸込口を当該側壁１３２Ａの通風孔１３２Ｂに面して設けてある。これにより、空冷ユニット１３０は、冷却ファン１３３により送風される冷却空気が効率よく冷却フィン１３１Ｂの間を流通するように構成されたものとなっている。
【００３７】
また、図４、図５及び図７に示すように、ミドルケース１２０の左右に設けられている側壁１２１，１２２のうち、液晶ユニットケース１１１の収納スペース１４に対応して膨出している部分の側面となる側壁１２１には、細長いスリット状の長孔が多数形成され、これらの長孔が冷却空気を内部に取り入れるための吸気口１２３となっている。
そして、図５及び図７に示すように、吸気口１２３が設けられた側壁１２１と重なり合う液晶ユニットケース１１１の側壁１１３には、側壁１２１の各吸気口１２３に対応するとともに、側壁１２１の吸気口１２３と連通する複数の長孔が、冷却空気を内部に取り入れるための吸気口１１４として設けられている。
【００３８】
そして、これらの吸気口１１４，１２３は、両方とも遊技球が内部に進入不可能なサイズの長孔から形成されている。
ここにおいて、冷却ファン１３３は、図７の如く、ケース１１１，１２０の左右方向の中心位置よりも若干左側にずれた位置に取り付けられている。また、冷却ファン１３３は、その吸込口１３３Ａが、ケース１１１，１２０の吸気口１１４，１２３が設けられた側壁１１３，１２１の側面に対向するように配置されている。
また、図７及び図１２の如く、ミドルケース１２０の膨出している部分の周りを囲む側壁のうち、ミドルケース１２０の左右方向の中間部分に設けられている側壁１２４には、冷却ファン１３３の吹出口１３３Ｂに対応した開口１２５が設けられている。
【００３９】
液晶ユニットケース１１１についても同様に、液晶ユニットケース１１１の膨出している部分の周りを囲む側壁のうち、液晶ユニットケース１１１の左右方向の中間部分に設けられている側壁１１５には、冷却ファン１３３の吹出口１３３Ｂに対応した複数の開口１１６が設けられている。
図７の如く、リアケース１２には、開口１１６，１２５と対向する側壁１２Ａが設けられている。この側壁１２Ａは、図５に示すように、開口１１６，１２５と対向する部分が凹まされている。これにより、図４、図６、図７及び図１２に示すように、リアケース１２及びミドルケース１２０の各背面をその一部として含んで構成されるケース全体の背面１２０Ａに、冷却ファン１３３の吹出口１３３Ｂから排出される冷却空気を排出するための排気口１２６が形成されている。
【００４０】
この排気口１２６は、吹出口１３３Ｂに対向して設けられるとともに、遊技球が内部に進入不可能なサイズの孔から形成されたもの、換言すると、遊技球が内部に進入不可能な開口となっている。
この際、リアケース１２の側壁１２Ａのうち、冷却ファン１３３の吹出口１３３Ｂと対向する部分は、冷却ファン１３３の吹出口１３３Ｂの近傍に配置されるとともに、排気口１２６に向かって冷却空気を導く導風板１４１となっている。
そして、ミドルケース１２０には、図５及び図７に示すように、リアケース１２の側壁１２Ａの凹んだ部分に対応し、且つ、この凹んだ部分と連続するように、Ｕ字形に折れ曲がった立ち上がり壁部１２７が設けられている。立ち上がり壁部１２７のうち、冷却ファン１３３の吹出口１３３Ｂと対向する部分は、リアケース１２側の導風板１４１と連結される当該導風板１４１とともに、排気口１２６に向かって冷却空気を導く導風板１４１Ａとなっている。
【００４１】
さらに、液晶ベース１１２には、図７及び図８に示すように、排気口１２６に対向する部分が傾斜した状態で迫り上がった傾斜底部１１７が設けられている。この傾斜底部１１７の周囲には、リアケース１２の側壁１２Ａの凹んだ部分に対応するとともに、この凹んだ部分と連続する立ち上がり壁部１１８が設けられている。これらのうち、傾斜底部１１７は、ミドルケース１２０の導風板１４１Ａと連結され、且つ、導風板１４１，１４１Ａとともに、排気口１２６に向かって冷却空気を導く導風板１４１Ｂとなっている。
ここにおいて、画像処理基板１０１を収納する収納スペース１４と、サブ制御基板９３を装着するための装着スペース１１とを、ミドルケース１２０の左右に並設し、収納スペース１４と装着スペース１１との境界部分に配置される側壁１２４に近接して冷却ファン１３３を設けるとともに、冷却ファン１３３の吹出口１３３Ｂに対応した開口１２５を側壁１２４に設け、さらに、リアケース１２に設けた側壁１２Ａの開口１２５と対向する部分を凹ませ、この凹みを冷却空気の排気路とし、リアケース１２が排気ダクトを兼用するようにしてある。
【００４２】
これにより、ケース全体の背面１２０Ａに冷却空気を排出するための排気口１２６を設けても、冷却空気を排気口１２６まで導く排気ダクトを別途設ける必要がなく、ケース全体の構造が簡略化されるようになっている。
前述のような本実施形態によれば、次のような効果が得られる。
すなわち、吸気口１２３の位置を、ミドルケース１２０の側壁１２１の側面に設定するとともに、吸気口１１４の位置を、液晶リアケース１１１Ａの側壁１１３の側面に設定し、且つ、ケース全体の背面１２０Ａに排気口１２６の位置を設定しので、導電性を有するゴミが吸気口１１４，１２３及び排気口１２６を通って、特別図柄表示装置２８の液晶リアケース１１１Ａ及びミドルケース１２０の内部に進入することがなく、これらのゴミによる画像処理基板１０１に設けられた電子回路の短絡が防止され、特別図柄表示装置２８を故障させるおそれを解消することができる。
【００４３】
また、放熱板１３１と冷却ファン１３３との両方をブラケット１３２に固定し、これにより、放熱板１３１と冷却ファン１３３とを近接配置するとともに、放熱板１３１をＬＳＩ１０１Ａ，１０１Ｂに接触させたので、空冷ユニット１３０の伝熱効果及び放熱効果を良好にすることができる。また、排気口１２６をケース全体の背面１２０Ａに設けることにより、側壁１１３，１２１の側面に設けた吸気口１１４，１２３から排気口１２６までの距離が短くなるようにしたので、冷却空気の流通抵抗を低減することができる。
以上のように、空冷ユニット１３０の伝熱効果及び放熱効果を良好にすることができるとともに、冷却空気の流通抵抗を低減することができるので、対流現象を利用することができなくとも、良好な冷却効率を確保することができ、冷却ファン１３３を充分の小型化することができる。
【００４４】
さらに、吸気口１１４，１２３を側壁１１３，１２１の側面に設けたので、吸気口１１４，１２３から液晶リアケース１１１Ａ及びミドルケース１２０内へのゴミの進入を抑制でき、ゴミによる画像処理基板１０１の電子回路の短絡を未然に防止することができるうえ、液晶リアケース１１１Ａ及びミドルケース１２０の下方で熱せられた空気が上昇してきても、吸気口１１４，１２３を下面に設けた場合と異なり、上昇してきた熱気をまともに吸入することがなくなるので、液晶リアケース１１１Ａ及びミドルケース１２０の下方に、別のＬＳＩや電動機等の発熱が著しい発熱機器が配置されていても、当該発熱機器の影響を回避することができる。
【００４５】
また、冷却ファン１３３の吸込口１３３Ａを、吸気口１１４，１２３が設けられた側壁１１３，１２１の側面に対向するように配置することにより、冷却ファン１３３の吸込口１３３Ａと、液晶リアケース１１１Ａ及びミドルケース１２０の吸気口１１４，１２３とを対向させて配置させたので、液晶リアケース１１１Ａ及びミドルケース１２０の内部において冷却空気が直線状に流れるようになり、この点からも、冷却空気の流通抵抗が低減され、良好な冷却効率を確保することができる。
さらに、冷却ファン１３３の吹出口１３３Ｂから吹き出される冷却空気の吹出方向が排気口１２６による排気の排出方向と交差していても、冷却ファン１３３の吹出口１３３Ｂの近傍に、ケース背面１２０Ａの排気口１２６に向かって冷却空気を導く導風板１４１，１４１Ａ，１４１Ｂを、当該吹出口１３３Ｂに対向して設けたので、排気口１３３Ｂからの排気効率が損なわれることがなく、この点からも、充分な冷却空気の風量が確保され、良好な冷却効率を確保することができる。
【００４６】
また、遊技球が内部に進入不可能なサイズの孔で排気口１２６及び吸気口１１４，１２３を形成したので、導電性を有する遊技球が排気口１２６又は吸気口１１４，１２３を通って、特別図柄表示装置２８の液晶リアケース１１１Ａ及びミドルケース１２０の内部に進入することがなく、遊技球による画像処理基板１０１の電子回路の破損や短絡が防止され、特別図柄表示装置２８を故障させるおそれを解消することができる。
さらに、個々の孔が小さくとも、その数量を充分多く設定すれば、冷却空気の風量を充分確保することができるので、吸気口１１４，１２３の各孔のサイズを遊技球が通過できない程小さくしても、良好な冷却効率を確保することができる。
【００４７】
同様に、孔の幅が小さくとも、その長さを充分長く設定すれば、冷却空気の風量を充分確保することができるので、排気口１２６の孔のサイズを遊技球が通過できない程小さくしても、良好な冷却効率を確保することができる。
また、ブラケット１３２を熱伝導性の良好なアルミニウム製としたので、ＬＳＩ１０１Ａ，１０１Ｂで発生した熱は、ブラケット１３２を通じても発散されるようになり、冷却ファン１３３の冷却効率が向上するのと相俟って、ＬＳＩ１０１Ａ，１０１Ｂの冷却能力を向上することができる。
なお、本発明は、前記実施形態に限定されるものではなく、本発明の目的を達成できる範囲における変形及び改良などをも含むものである。
【００４８】
例えば、遊技機としては、パチンコ機に限らず、雀球等の他の弾球式遊技機でもよく、あるいは、外周面に図柄を表示する回転リールを有し、回転リールの図柄を特定の組合せに揃えるスロットマシン等の回動式遊技機でもよく、要するに、本発明は、様々な画像の表示が可能な表示装置を備えた遊技機に適用することができる。
【図面の簡単な説明】
【００４９】
【図１】本発明の一実施形態に係る遊技機を示す正面図である。
【図２】前記実施形態に係る遊技機を示す背面図である。
【図３】前記実施形態に係る表示装置を正面側から示す斜視図である。
【図４】前記実施形態に係る表示装置を背面側から示す斜視図である。
【図５】前記実施形態に係る表示装置を背面側から示す分解斜視図である。
【図６】前記実施形態に係る表示装置を示す背面図である。
【図７】図６のＡ−Ａ線における断面図である。
【図８】前記実施形態に係る液晶ユニットを背面側から示す分解斜視図である。
【図９】前記実施形態に係る液晶ユニットを示す一部分解状態の背面図である。
【図１０】前記実施形態に係る液晶ユニットの要部を背面側から示す斜視図である。
【図１１】図６のＪ−Ｊ線における断面図である、
【図１２】図６のＭ−Ｍ線における断面図である。
【符号の説明】
【００５０】
２８  表示装置（特別図柄表示装置）
１００  画面
１０１  画像処理基板
１０１Ａ，１０１Ｂ  発熱素子としてのＬＳＩ
１１１  ケースとしての液晶ユニットケース
１１４  吸気口
１２０  ケースとしてのミドルケース
１２０Ａ  ケースの背面
１２３  吸気口
１２６  排気口
１３１  放熱板
１３２  ブラケット
１３３  冷却ファン
１３３Ａ  吸込口
１３３Ｂ  吹出口
１４１，１４１Ａ，１４１Ｂ  導風板
ＰＭ  遊技機としてのパチンコ機
【図１】
2005342330.tif 000003
【図２】
2005342330.tif 000004
【図３】
2005342330.tif 000005
【図４】
2005342330.tif 000006
【図５】
2005342330.tif 000007
【図６】
2005342330.tif 000008
【図７】
2005342330.tif 000009
【図８】
2005342330.tif 000010
【図９】
2005342330.tif 000011
【図１０】
2005342330.tif 000012
【図１１】
2005342330.tif 000013
【図１２】
2005342330.tif 000014